【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
遠隔で視聴されるプレゼンテーション内にハイパーリンクを提供するコンピュータ実装方法であって、前記方法はプレゼンタ・コンピュータ・システムによって実行され、
送信できるプレゼンテーションをプレゼンテーション・データとして遠隔の視聴者側コンピュータ・システムへ提供することと、
前記プレゼンテーションの表示エリアの表示エリア・コンテンツを決定することと、
それぞれのハイパーリンクについてのリンク宛先を含む前記表示エリア・コンテンツ内の１つまたは複数のハイパーリンクに関連するリンク情報を取得することと、
前記表示エリア・コンテンツについての前記プレゼンテーション・データに関連する送信用の前記リンク情報を提供することと
を含む、方法。
【請求項２】
リンク情報を取得することは、ハイパーリンクを前記プレゼンテーションの遠隔のディスプレイのオーバレイとして表示するために、前記表示エリアにおけるそれぞれのハイパーリンクの位置情報を取得することを含む、請求項１に記載の方法。
【請求項３】
前記位置情報は、前記表示エリアにおけるそれぞれのハイパーリンクのアンカのエリアを含む、請求項２に記載の方法。
【請求項４】
前記位置情報は、前記表示エリアの縮尺およびアスペクト比に関連するものである、請求項２に記載の方法。
【請求項５】
プレゼンテーションを提供することは、ライブ・プレゼンテーションを提供し、前記リンク情報はそれぞれの更新される表示エリア・コンテンツについて取得され、前記リンク情報は前記更新される表示エリア・コンテンツについての前記プレゼンテーション・データとともに順次送信される、請求項１に記載の方法。
【請求項６】
前記ライブ・プレゼンテーションは動画プレゼンテーションとして送信され、前記リンク情報は前記動画プレゼンテーションのそれぞれのフレームとともに順次送信される、請求項５に記載の方法。
【請求項７】
プレゼンテーションを提供することは、記録されたプレゼンテーションを提供し、リンク情報を取得することは、
前記記録されたプレゼンテーションの持続期間内の前記１つまたは複数のハイパーリンクのタイムスタンプを含むリンク情報を取得すること
を含む、請求項１に記載の方法。
【請求項８】
前記プレゼンテーションは、ウェブ・ブラウザ・コンテンツのプレゼンテーションであり、前記表示エリアにおける１つまたは複数のハイパーリンクに関連するリンク情報を取得することは、
前記ウェブ・ブラウザ・コンテンツ内のすべてのハイパーリンクについてのリンク情報を取得することと、前記ハイパーリンクのそれぞれが前記プレゼンテーションの前記表示エリアにおいて可視かどうかを判断することとを含む、請求項１に記載の方法。
【請求項９】
遠隔で視聴されるプレゼンテーション内にハイパーリンクを提供するコンピュータ実装方法であって、前記方法は視聴者側コンピュータ・システムによって実行され、
前記視聴者側コンピュータ・システムにおいてプレゼンテーションを表示するために、プレゼンタ・コンピュータ・システムから送信されたプレゼンテーション・データを受信することと、
前記プレゼンテーション・データに関連付けられるリンク情報を受信することであって、前記リンク情報は、プレゼンタ・コンピュータ・システムにおける前記プレゼンテーションの表示エリア内の１つまたは複数のハイパーリンクについてであり、それぞれのハイパーリンクについてのリンク宛先を含む、前記受信することと、
前記プレゼンテーションの表示エリア・コンテンツを表示している前記視聴者側コンピュータ・システムの表示エリアに関連付けられるハイパーリンクを提供することと
を含む、方法。
【請求項１０】
前記リンク情報は前記プレゼンテーションの表示エリアにおけるそれぞれのハイパーリンクの位置情報を含み、前記方法は、
前記視聴者側コンピュータ・システムで示される前記プレゼンテーションの表示エリアに対応する位置において、ハイパーリンクをオーバレイとして表示すること
を含む、請求項９に記載の方法。
【請求項１１】
前記位置情報は前記プレゼンテーション・コンピュータ・システムにおける表示エリアの縮尺およびアスペクト比に関連しており、前記方法は
前記位置情報を前記視聴者側コンピュータ・システムにおける前記表示エリアの前記縮尺およびアスペクト比に変換すること
を含む、請求項１０に記載の方法。
【請求項１２】
前記位置情報は前記表示エリアにおけるそれぞれのハイパーリンクのアンカのエリアを含み、前記方法は、
前記視聴者側コンピュータ・システムにおける前記プレゼンテーションの前記表示エリアに、前記プレゼンタ・コンピュータ・システムの前記表示エリアにおける前記アンカの前記エリアに対応するサイズおよび形状のオーバレイを描画すること
を含む、請求項１０に記載の方法。
【請求項１３】
更新されたリンク情報を受信することと、現在表示されているハイパーリンクとの差異があるかどうかを判断し、差異があれば、前記更新されたリンク情報に基づいて、現在表示されているハイパーリンクを新しいハイパーリンクで置換することとを含む、請求項９に記載の方法。
【請求項１４】
プレゼンテーション・データを受信することは、プレゼンテーション・データの形態で記録されたプレゼンテーション受信し、リンク情報を受信することは、ハイパーリンクが表示される前記記録されたプレゼンテーションの持続期間内のタイムスタンプを含む１つまたは複数のハイパーリンクについてのリンク情報を受信し、前記１つまたは複数のハイパーリンクを提供することは、前記プレゼンテーションにおける前記タイムスタンプの時刻において前記ハイパーリンクを提供する、請求項９に記載の方法。
【請求項１５】
遠隔で視聴されるプレゼンテーション内にハイパーリンクを提供するシステムであって、前記システムはプロセッサ、およびコンポーネントの機能を実行するためにコンピュータ・プログラム命令を前記プロセッサに提供するように構成されるメモリを含み、送信できるプレゼンテーションをプレゼンテーション・データとして遠隔の視聴者側コンピュータ・システムへ提供するプレゼンテーション・コンポーネントを含む、プレゼンテーション・コンピュータ・システムに設けられ、前記システムは、
前記プレゼンテーションの表示エリアの表示エリア・コンテンツを決定するための表示エリア・コンポーネントと、
それぞれのハイパーリンクについてのリンク宛先を取得するための宛先取得コンポーネントを含む、前記表示エリア・コンテンツ内に１つまたは複数のハイパーリンクに関するリンク情報を取得するためのリンク取得コンポーネントと、
前記表示エリア・コンテンツについての前記プレゼンテーション・データに関連する送信用の前記リンク情報を提供するリンク送信コンポーネントと
を備える、システム。
【請求項１６】
遠隔で視聴されるプレゼンテーション内にハイパーリンクを提供するシステムであって、前記システムはプロセッサ、およびコンポーネントの機能を実行するためにコンピュータ・プログラム命令を前記プロセッサに提供するように構成されるメモリを含み、前記視聴者側コンピュータ・システムにおいて表示するためにプレゼンタ・コンピュータ・システムから送信されたプレゼンテーション・データを受信するための表示コンポーネントを含む、視聴者側コンピュータ・システムに設けられ、前記システムは、
前記プレゼンテーション・データに関連付けられるリンク情報を受信するためのリンク受信コンポーネントであって、前記リンク情報は、プレゼンタ・コンピュータ・システムにおいて前記プレゼンテーションの表示エリア内の１つまたは複数のハイパーリンクについてであり、それぞれのハイパーリンクについてのリンク宛先を含む、前記リンク受信コンポーネントと、
前記プレゼンテーションの表示エリア・コンテンツを表示している前記視聴者側コンピュータ・システムの表示エリアに関連付けられるハイパーリンクを提供する、リンク表示コンポーネントと
を備える、システム。
【請求項１７】
遠隔で視聴されるプレゼンテーション内にハイパーリンクを提供するための、コンピュータ・プログラムであって、プロセッサに、
送信できるプレゼンテーションをプレゼンテーション・データとして遠隔の視聴システムへ提供することと、
前記プレゼンテーションの表示エリアの表示エリア・コンテンツを決定することと、
それぞれのハイパーリンクについてのリンク宛先を含む前記表示エリア・コンテンツ内の１つまたは複数のハイパーリンクに関連するリンク情報を取得することと、
前記表示エリア・コンテンツについての前記プレゼンテーション・データに関連する送信用の前記リンク情報を提供することと
を実行させるコンピュータ・プログラム。